(57)【要約】支持部材（１）と、ほぼ凸状の形状を有するアイロン掛け表面（２）とを備えたアイロン台であって、アイロン掛け表面（２）は、支持部材（１）に移動可能に取り付けられており、それにより、アイロン掛け表面（２）をほぼ垂直に位置する第１（２Ａ）及び第２（２Ｂ）アイロン掛け位置間で移動させることができる。【選択図】図１
2005501680.tif 000002
【特許請求の範囲】
【請求項１】
アイロン台であって、
ａ）支持部材と、
ｂ）ほぼ凸状の形状を有するアイロン掛け表面とを備えており、該アイロン掛け表面は、前記支持部材に移動可能に取り付けられており、それにより、前記アイロン掛け表面をほぼ垂直に位置する第１及び第２アイロン掛け位置間で移動させることができるアイロン台。
【請求項２】
前記支持部材は、使用する際に前記アイロン掛け表面を地面の上方に支持することができ、前記アイロン掛け表面は、前記第１アイロン掛け位置では地面にほぼ平行であり、前記第２アイロン掛け位置では地面に対してほぼ垂直である請求項１に記載のアイロン台。
【請求項３】
前記アイロン掛け表面は、ほぼ楕円形の断面を有するアイロン掛け部材の表面から形成されている請求項１または２に記載のアイロン台。
【請求項４】
前記アイロン掛け部材は、アイロン掛け軸を画定しており、前記アイロン掛け部材は、該アイロン掛け軸を中心にして回転できるようにして前記支持部材に連結されている請求項３に記載のアイロン台。
【請求項５】
前記支持部材は、支持軸を画定しており、前記アイロン掛け部材は、該アイロン掛け軸を中心にして回転できるようにして前記支持部材に連結されている請求項３または４に記載のアイロン台。
【請求項６】
前記支持部材は、真空手段を有し、前記アイロン掛け部材は、前記アイロン掛け表面から前記真空手段まで伸びる流路を画定する多数の開口を有しており、使用する際に、前記真空手段は、空気を前記流路に沿って引き込み、それにより、使用する際に衣類を前記アイロン掛け表面に押し付けることができる請求項３〜５のいずれか１項に記載のアイロン台。
【請求項７】
前記支持部材は、高圧蒸気を発生するための蒸気発生器を有する請求項１〜６のいずれか１項に記載のアイロン台。
【請求項８】
前記蒸気発生器に接続するためのホースを備えており、該ホースは、使用する際にアイロン掛け部材上に載置された衣類に蒸気を当てることができる流路を画定する請求項７に記載のアイロン台。
【請求項９】
前記アイロン掛け表面は、使用する際に衣類を所望位置に固定することができる多数の留め具を備えている請求項１〜８のいずれか１項に記載のアイロン台。
【請求項１０】
前記支持部材は、使用する際にアイロンに電力を供給するための電源を備えている請求項１〜９のいずれか１項に記載のアイロン台。
【請求項１１】
前記アイロン掛け表面の端部分は、人体の胴体部の上部分にほぼ似た形状を有する請求項１〜１０のいずれか１項に記載のアイロン台。
【請求項１２】
前記端部分は、前記アイロン掛け表面に着脱可能に連結される請求項１１に記載のアイロン台。
【請求項１３】
添付図面を参照し、実質的に明細書に記載するアイロン台。
【発明の詳細な説明】
【技術分野】
【０００１】
本発明は、アイロン台、特に布製衣類のアイロン掛けに使用されるアイロン台に関する。
【背景技術】
【０００２】
本明細書での従来技術の参照は、従来技術がオーストラリアにおける共通の一般的知識の一部を形成するという確認または何らかの形の示唆として受け取られることはなく、また、受け取られるべきではない。
【０００３】
一般的に、アイロン掛けは、アイロンを掛けようとする衣類を平坦な表面上に載置して、高温のアイロンを使用して衣類を平坦表面に押し付け、それによって衣類を平らにすることによって行われる。アイロン掛けは通常、地面に平行に支持された平坦な耐熱性ボードで形成されたアイロン台を使用して行われる。衣類は、使用する際に衣類にアイロンを掛けることができるようにする台の上に載置される。
【０００４】
しかし、従来のアイロン台には多くの欠点がある。特に、衣類は通常、人体の体形にフィットするようにデザインされており、したがって、人体の形をした衣類をアイロン台上に平らに載置することが困難である場合が多い。第２に、アイロン台を地面に平行な水平位置の向きに置くことにより、特にアイロンを保持しなければならない位置のため、物によってはアイロン掛けが困難になる場合がある。
【０００５】
アイロン及びアイロン台の使用に対して別の解決策が提案されてきた。しかし、これらの技法では通常、高温プレスローラを使用する必要があり、したがって、装置が一般的にかさばり、高価で、操作し難い。その結果、そのような技法はあまり使用されていない。
【発明の開示】
【発明が解決しようとする課題】
【０００６】
本発明は、従来のような高温プレスローラを使用する必要がなく、コンパクトで、かつ、操作のし易いアイロン台を提供することを課題とする。
【課題を解決するための手段】
【０００７】
第１の形態において、本発明は、
ａ）支持部材と、
ｂ）ほぼ凸状の形状を有するアイロン掛け表面とを備えており、該アイロン掛け表面は、支持部材に移動可能に取り付けられており、それにより、アイロン掛け表面をほぼ垂直に位置する第１及び第２アイロン掛け位置間で移動させることができるアイロン台を提供する。
【発明の効果】
【０００８】
使用者にとって、操作性に優れたアイロン台を提供することができる。
【発明を実施するための最良の形態】
【０００９】
支持部材は、使用する際にアイロン掛け表面を地面の上方に支持することができるように適合している。この場合、アイロン掛け表面は通常、第１アイロン掛け位置では地面にほぼ平行であり、第２アイロン掛け位置では地面に対してほぼ垂直である。
【００１０】
アイロン掛け表面は通常、ほぼ楕円形の断面を有するアイロン掛け部材の表面から形成されている。
【００１１】
アイロン掛け部材は通常、アイロン掛け軸を画定しており、好ましくは、アイロン掛け部材は、アイロン掛け軸を中心にして回転できるようにして支持部材に連結されている。
【００１２】
同様に、支持部材は通常、支持軸を画定しており、好ましくは、アイロン掛け部材は、アイロン掛け軸を中心にして回転できるようにして支持部材に連結されている。
【００１３】
任意選択で、支持部材は真空手段を有し、アイロン掛け部材はアイロン掛け表面から真空手段まで伸びる流路を画定する多数の開口を有しており、使用する際に、真空手段は、空気を流路に沿って引き込み、それにより、使用する際に衣類をアイロン掛け表面に押し付けるように適合している。
【００１４】
好ましくは、支持部材は、高圧蒸気を発生するための蒸気発生器を有する。
【００１５】
この場合、アイロン台は通常、蒸気発生器に接続するためのホースを備えており、該ホースは、使用する際にアイロン掛け部材上に載置された衣類に蒸気を当てることができる流路を画定する。代替的にまたは付加的に、アイロン掛け表面に直接蒸気が当たるように、蒸気発生器は流路に連結されることができる。
【００１６】
アイロン掛け表面は、任意選択で、使用する際に衣類を所望位置に固定するように適合している多数の留め具を備え得る。
【００１７】
支持部材は、使用する際にアイロンに電力を供給するための電源を備え得る。
【００１８】
アイロン掛け表面の端部分は、任意選択で、人体の胴体部の上部分にほぼ似た形状を有し、端部分は、好ましくは、アイロン掛け表面に着脱可能に連結される。
【００１９】
次に、添付の図面を参照しながら、本発明の一例を説明する。
【実施例】
【００２０】
本発明に従ったアイロン台の一例が、図１に示されている。
【００２１】
図１に示されているように、アイロン台は、ジョイント３で互いに連結された支持部材１及びアイロン掛け部材２で形成されている。アイロン掛け部材は、使用する際に衣類をアイロン掛け部材上に載置してアイロンを掛けることができるようにする耐熱性材料で形成されている。
【００２２】
図示のように、アイロン掛け部材２は、横断面がほぼ楕円形であり、それにより、アイロン掛け部材によって与えられるアイロン掛け表面が湾曲している。その結果、衣類をアイロン掛け部材上に載置する時、やはり人体の形状にフィットするように通常は湾曲している衣類は、アイロン掛け部材の表面の形状に、その表面が平坦である場合よりも容易になじみやすい。アイロン掛け部材２が人体の胴体部と同様な寸法である場合、この効果が高まることは理解されるであろう。
【００２３】
ジョイント３は、アイロン掛け部材２を、アイロン掛け部材がほぼ水平である２Ａで示された位置、及びアイロン掛け部材２がほぼ垂直である２Ｂで示された位置間で移動させることができるように適合している。したがって、これにより、使用者は少なくとも異なった２つのアイロン掛け位置を使用することができる。
【００２４】
これに加えて、ジョイント３はまた、アイロン掛け部材２が、ジョイント３から支持部材１の底部まで伸びる第１軸４、及びジョイント３からアイロン掛け部材２に沿って伸びる第２軸５を中心にして回転できるようにする。したがって、これにより、アイロン掛け部材２は、支持部材１を中心にして回転できると共に回動することができ、それにより、当該技術分野の技術者であれば理解できるように、アイロン掛け部材２は多数の異なった向きをとることができる。
【００２５】
したがって、使用する際に衣類をアイロン掛け部材２上に載置する時、アイロン掛け部材２を第１及び第２位置２Ａ、２Ｂ間で移動させて、使用者が従来通りの向きと共に、たとえば、シャツやスカートや、載置できる同様のもののアイロン掛けを行う時に特に有用である垂直向きでもアイロンを掛けることができるようにする。
【００２６】
これに加えて、使用者が衣類の反対側に近づきやすくするために、アイロン掛け部材２は、軸４、５のいずれか一方を中心にして回転することができる。
【００２７】
したがって、このように向きを変更することができるアイロン掛け表面を設けることによって、使用者は、衣類をアイロン掛け部材２から取り外すか、衣類をそのアイロン掛け部材２上で置き直す必要なく、衣類全体にアイロンを掛けることができる。
【００２８】
アイロン台の総重量を持ち上げる必要なく、アイロン台を容易に移動させることができるように、支持部材１には通常、図示のように車輪６も設けられている。
【００２９】
本発明に従ったアイロン台の第２例が、図２に示されている。本例では、わかりやすくするために、アイロン掛け部材の位置２Ａだけが示されている。本例では、以下に説明するように、アイロン台が真空システム及び蒸気システムを備えている。
【００３０】
真空システムは、真空ポンプ８で形成されており、この真空ポンプは、ジョイント３を貫通している流路９を介して、アイロン掛け部材２の表面上に形成された多数の開口１０に接続されている。使用する際に、真空ポンプを作動させると、空気が開口１０を介して流路９に沿って引き込まれる。したがって、使用する際に、衣類をアイロン掛け部材上に載置すると、真空ポンプの吸引作用によって衣類がアイロン掛け表面に押し付けられる。これは、使用する際に、衣類をアイロン掛け表面に平らに当接した位置に確実に保持することを助ける。これに加えて、衣類に蒸気を当てている場合、真空システムは、蒸気が衣類を通過して引き込まれるのを助け、それにより、蒸気の作用を補助すると共に、衣類の乾燥にかかる時間を短縮する。空気がアイロン掛け表面の開口１０に流れ込むようにし、それによって吸引作用を与える任意の手段を、たとえば、ファンを上記真空システム内に使用することができることを理解されたい。
【００３１】
これに加えて、蒸気発生器１１も設けることができる。この場合、蒸気発生器１１も流路９に接続されて、蒸気を開口１０から衣類に送ることができる。この場合、蒸気発生器１１が動作して開口１０から衣服に蒸気を当てるので、真空システムを使用することができないことは、理解されるであろう。
【００３２】
これは、２つの方法で解決することができる。第１に、真空システム及び蒸気システムの各々のために、代替流路９及び別組の開口１０を設けることができる。第２に、蒸気発生器１１を概略的に１２で示された外部ホースに接続することもできる。この場合、蒸気発生器で発生した蒸気は、ホース１２を介して送り出される。これにより、必要に応じて使用の際に、使用者はホース１２を持って蒸気を衣類に当てることができる。
【００３３】
蒸気発生器１０で発生した蒸気は、清掃目的で、たとえば、水垢(lime deposits)、コーヒーの染み、油脂などを含めた台所汚れの清掃と共にカーテンまたは他の織物の清掃に使用することができる高圧蒸気を供給するために使用することもできることは、理解されるであろう。
【００３４】
真空ポンプ８及び蒸気発生器１１を制御するための制御部が、図２、図３Ａ、図３Ｂ及び図３Ｃに全体的に１３で示されているように、設けられている。
【００３５】
支持部材１には、使用する際にアイロンに電力を供給する電源１４を組み込むこともできる。これにより(The allows)、支持部材１を主電源などの電源に接続して、アイロンを支持体１にプラグ接続することができる。これは、アイロンの電源コードがソケットに届くように使用者がアイロン台を特定向きに配置する必要をなくすのに役立つ。
【００３６】
さらなる特徴として、アイロン掛け部材２は、使用する際に衣類をアイロン掛け部材に固定できるようにするクリップ（図示せず）などの留め具を備えることができる。これにより、使用者は衣類を確実に引き伸ばすことができ、商品にひだをつけるなどの難しい作業が容易になる。
【００３７】
さらに、アイロン掛け部材２を２Ａ、２Ｂで示された位置間の任意向きに置くことができるようにジョイント３を対応させてもよいことは、理解されるであろう。
【００３８】
本発明に従ったアイロン台のさらなる例が、図４Ａ及び図４Ｂに示されている。本実施形態では、支持部材２０がよりコンパクトな構造の形になっており、アイロン台にさらなる安定性を与えるほぼ平坦な底板２５に連結されている。支持部材２０には、点２７でピボット連結されて、（図４Ａに示された）閉鎖位置及び（図４Ｂに示された）開放位置間を移動可能なパネル２６が設けられており、水タンク２８、ボイラー２９及び／または電子部品３０を収容することができる支持部材２０の内部に手が届きやすくしている。パネル２６が閉鎖位置にある時に水タンク２８に収容されている水位指標を視認できるように、水位計３１を水タンク２８と関連させてはめ付けることができる。
【００３９】
アイロン掛け部材２１は、４Ａで第１位置に示され、この場合、アイロン掛け部材２１はほぼ垂直であり、４Ｂではアイロン掛け部材２１がほぼ水平位置にある位置に示されており、使用者は少なくとも２つの異なったアイロン掛け位置を使用することができる。しかし、アイロン掛け部材２１を図４Ａ及び図４Ｂに示された位置の間の任意向きに置いて固定することができるようにジョイント２２を適合させてもよいことは、理解されるであろう。
【００４０】
シャツ用付属品２３が、図４Ａに示されており、このシャツ用付属品２３は、人体の胴体部の上部分と同様な形状である。このシャツ用付属品は、シャツ及び／または上半身用衣類のアイロン掛けを助けるために、アイロン掛け部材の端部分に着脱可能に連結することができる。
【００４１】
最後になるが、電源点３２及び／または蒸気供給点３３を支持部材２０上に配置して、アイロンハンドピースを接続しやすくすることができる。
【００４２】
当該技術分野の技術者であれば、多くの変化及び変更が明らかになることは、理解されるであろう。当該技術分野の技術者に明らかになるそのような変化及び変更はすべて、説明の前に広範に明らかである本発明の精神及び範囲(the spirits and scope that the invention broadly appearing before described)に入ると見なされるべきである。
【図面の簡単な説明】
【００４３】
【図１】本発明に従ったアイロン台の第１例の概略的斜視図である。
【図２】本発明に従ったアイロン台の第２例の概略的斜視図である。
【図３Ａ】図２の支持部材の概略的正面図である。
【図３Ｂ】図２の支持部材の概略的側面図である。
【図３Ｃ】図２の支持部材の概略的上面図である。
【図４Ａ−４Ｂ】本発明に従ったアイロン台の第３例の概略図である。
【符号の説明】
【００４４】
１    支持部材
２    アイロン掛け部材
３    ジョイント
４    第１軸
５    第２軸
６    車輪
８    真空ポンプ
９    流路
１０  開口
１１  蒸気発生器
１２  ホース
１３  制御部
１４  電源
２０  支持部材
２１  アイロン掛け部材
２２  ジョイント
２３  シャツ用付属品
２５  底板
２６  パネル
２７  点
２８  水タンク
２９  ボイラー
３０  電子部品
３１  水位計
３２  電源点
３３  蒸気供給点
【図１】
2005501680.tif 000003
【図２】
2005501680.tif 000004
【図３Ａ】
2005501680.tif 000005
【図３Ｂ】
2005501680.tif 000006
【図３Ｃ】
2005501680.tif 000007
【図４Ａ−４Ｂ】
2005501680.tif 000008
【国際公開パンフレット】
2005501680.tif 000009
2005501680.tif 000010
2005501680.tif 000011
2005501680.tif 000012
2005501680.tif 000013
2005501680.tif 000014
2005501680.tif 000015
2005501680.tif 000016
2005501680.tif 000017
2005501680.tif 000018
2005501680.tif 000019
2005501680.tif 000020
2005501680.tif 000021
2005501680.tif 000022
2005501680.tif 000023
【国際調査報告】
2005501680.tif 000024
2005501680.tif 000025